(57)【要約】ドライブ、ドライブを動作させる方法、並びに、二層式ＤＶＤディスク（ＤＶＤ９）の物理層及びブルーレイディスク（ＢＤ）のアプリケーション層を有するハイブリッドディスク（ＢＤ９）に関する。ディスクは、確立されたＢＤ−ＲＯＭフォーマットに従って、アプリケーション層の変調コード及びファイル構造と、複製防止システム（ＣＰＳ）のためのＢＤ−ＲＯＭマークとを含むリザーブ領域を有する。ディスクは、従来のＤＶＤドライブによって読取可能であるが、ＢＤ−ＲＯＭマークを検出するためのファームウェア並びに特別のハードウェア及びソフトウェア（４７，４８，４９）が使用される。このように、目下のＤＶＤ又はＢＤはファームウェアのアップグレードのみを必要とする。
2009508280.tif 000002
【特許請求の範囲】
【請求項１】
ＣＤ、ＤＶＤ、ＢＤのような光学式データ記憶媒体のフォーマットを決定し、ＣＤ用の赤外線レーザ、ＤＶＤ用の赤色レーザ又はＢＤ用の青色レーザのような対応する読取用光ピックアップユニットを選択するよう前記ドライブに光学式データ記憶媒体を挿入するステップと、前記データ記憶媒体の起動区間に含まれるディスク情報を読み取り、対応する情報をメモリに記憶するステップとを有し、二層式ＤＶＤフォーマットの物理層と、ブルーレイＢＤフォーマットのアプリケーション層とを有するＢＤ９フォーマットのデータ記憶媒体を読み取るドライブを初期化する方法であって、
前記データ記憶媒体がＤＶＤフォーマットである場合に、前記データ記憶媒体がＢＤ９フォーマットによるかどうかを決定するステップと、
前記データ記憶媒体がＢＤ９フォーマットによると決定される場合に、ＢＤ−ＲＯＭマークを読み取るよう構成されるハードウェア及びソフトウェアを用い、且つ、ＤＶＤフォーマットを読み取るよう構成される光ピックアップユニットを用いて、前記ＢＤ−ＲＯＭマークを含むリザーブ領域を読み取るステップと、
復号キーを決定し、該キーをメモリに記憶するステップとを特徴とする方法。
【請求項２】
前記データ記憶媒体がＢＤ９フォーマットによるかどうかを決定する前記ステップは、ＣＤ／ＤＶＤ／ＢＤのようなディスクの種類や、Ｒ、ＲＡＭ、ＲＷのようなメディアの種類や、書込方式のような情報であって、前記メモリに記憶される情報を有する起動区間を読み取ることによって実行される、請求項１記載の方法。
【請求項３】
前記光学式データ記憶媒体のデータを読み取るステップと、
前記復号キーによって前記データを解読するステップと、
解読されたデータ信号を発するステップとを更に有する、請求項１又は２記載の方法。
【請求項４】
当該ドライブにおいて光学式データ記憶媒体を受ける受入装置と、ＣＤ、ＤＶＤ、ＢＤのような光学式データ記憶媒体の起動区間に含まれるディスク情報を読み取り、対応する情報をメモリに記憶するために、前記データ記憶媒体のフォーマットを決定し、ＣＤ用の赤外線レーザ、ＤＶＤ用の赤色レーザ又はＢＤ用の青色レーザのような対応する読取用光ピックアップユニットを選択する選択回路とを有し、二層式ＤＶＤフォーマットの物理層と、ブルーレイＢＤフォーマットのアプリケーション層とを有するＢＤ９フォーマットのデータ記憶媒体を読み取る当該ドライブを初期化するために請求項１乃至３のうちいずれか一項記載の方法を実行するドライブであって、
前記データ記憶媒体がＢＤ９フォーマットによるかどうかを決定し、ＢＤ−ＲＯＭマークを含むリザーブ領域を読み取り、更に、前記ＢＤ−ＲＯＭマークを読み取るよう構成されるハードウェア及びソフトウェアを選択し、ＤＶＤフォーマットを読み取るよう構成される光ピックアップユニットを使用する選択回路を有し、
前記ハードウェア及びソフトウェアは、復号キーを決定し、該キーをメモリに記憶するよう構成されることを特徴とするドライブ。
【請求項５】
ＤＶＤフォーマットを読み取るよう構成される前記光ピックアップユニットは、更に、ＣＤ／ＤＶＤ／ＢＤのようなディスクの種類や、Ｒ、ＲＡＭ、ＲＷのようなメディアの種類や、書込方式のような情報であって、前記メモリに記憶される情報を有する起動区間を読み取るよう構成される、請求項４記載のドライブ。
【請求項６】
ＤＶＤフォーマットを読み取るよう構成される前記光ピックアップユニットは、更に、前記光学式データ記憶媒体のデータを読み取るよう構成される、請求項４又は５記載のドライブ。
【請求項７】
前記復号キーによって前記データを解読し、解読されたデータ信号を発する回路を更に有する、請求項６記載のドライブ。
【請求項８】
二層式ＤＶＤシステムの物理層と、ブルーレイシステムのアプリケーション層とを有する光学式データ記憶媒体であって、
変調コードを含む当該記憶媒体のリザーブ領域であって、ＢＤ−ＲＯＭマークが複製防止システムに使用されるよう配置されるところのリザーブ領域を特徴とする記憶媒体。
【請求項９】
前記リザーブ領域は、約２１．０ｍｍから２４．０ｍｍの半径で配置される当該記憶媒体の内部半径にある区間に配置される、請求項８記載の記憶媒体。
【請求項１０】
前記リザーブ領域は、第２層において約２２．２ｍｍ又は２２．５ｍｍから約２４．０ｍｍの半径で配置される当該記憶媒体の内部半径にある区間に配置され、
第１層における約２２．２ｍｍから約２４．０ｍｍの半径を有する対応する区間は、通常はバースト・カッティング・エリアを有するが、該バースト・カッティング・エリアを有さない、請求項９記載の記憶媒体。
【請求項１１】
前記バースト・カッティング・エリアは、約２１．３ｍｍから２２．２ｍｍの半径で前記第１層に配置される、請求項１０記載の記憶媒体。
【請求項１２】
前記リザーブ領域は、約２４．０ｍｍから５８．０ｍｍの半径で配置される中間区間に配置される、請求項８記載の記憶媒体。
【請求項１３】
前記リザーブ領域は、約５８．０ｍｍから５８．５ｍｍの半径で配置される当該記憶媒体の外部半径にある区間に配置される、請求項８記載の記憶媒体。
【請求項１４】
ウォブルドピット構造は、前記リザーブ領域に書き込まれ、前記ＢＤ−ＲＯＭマークを有する、請求項８乃至１３のうちいずれか一項記載の記憶媒体。
【請求項１５】
前記変調コードは１７ｐｐ変調コードである、請求項８乃至１４のうちいずれか一項記載の記憶媒体。
【請求項１６】
メインデータ領域は、ＩＳＯ９６６０ファイルシステムのような従来のＤＶＤフォーマットに従って少なくとも１つのファイルを有し、該ファイルは、当該記憶媒体が特別のＢＤ９記憶媒体であるというユーザへの情報を含む、請求項８乃至１５のうちいずれか一項記載の記憶媒体。
【請求項１７】
従来のＤＶＤドライブによって読取可能であって、ファームウェア適応のみを有するＢＤドライブによってデコード可能である、請求項８乃至１６のうちいずれか一項記載の記憶媒体。
【請求項１８】
前記ＢＤ−ＲＯＭマークは、前記リザーブ領域にウォブルドピット構造として配置される、請求項８乃至１７のうちいずれか一項記載の記憶媒体。
【発明の詳細な説明】
【技術分野】
【０００１】
本発明は、目下開発中のＢＤシステムに存在する既に利用可能なハードウェアを再使用するＢＤ９（ブルーレイディスク）用の複製防止システム（ＣＰＳ；Copy  Protection  System）を含む光学式データ記憶媒体を読み出すドライブ及びそのようなドライブの駆動方法に関する。本発明は、また、光学式データ記憶媒体に関する。
【背景技術】
【０００２】
米国公開特許出願番号２００４／０２６４６９４Ａ１は、高密度光ディスクと、データの暗号化及び暗号化されたデータの光ディスクへの記録の方法とを開示する。例えば、ブルーレイディスク読出専用メモリ（ＢＤ−ＲＯＭ）のような高密度光ディスクは、データを含む螺旋状のトラックを有する。データは、アドレスユニット（ＡＵ）に含まれるアドレスユニット数又はディスク半径情報を用いて暗号化され得、暗号化されたデータは高密度光ディスクに記録される。このように、例えばＢＤ−ＲＥプレーヤのような光ディスク機器を保持するユーザは、ＢＤ−ＲＯＭのデータをＢＤ−ＲＥに違法に複製し、複製されたデータを違法に再生することを妨げられ得る。
【０００３】
ＷＯ２００４／０７５１８７は、ユーザ情報を保持する情報記憶媒体を開示する。情報記憶媒体は、ユーザ情報にアクセスするアクセス情報ビットの形でアクセス情報を有する。アクセス情報ビットは、パラメータの変形で情報記憶媒体に記憶される。その変形は、統合検出（integration  detection）によって検出可能である。アクセス情報ビットは、所定のスクランブリング方法に従ってスクランブルをかけられる。所定のスクランブリング方法に従ってアクセス情報ビットにスクランブルをかけることによって、アクセス情報の検出は、スクランブリング方法が知られない限りは不可能である。統合検出法の使用により、アクセス情報ビットを有する領域を読み出した後に得られる信号がどのように処理されるべきかが知られた場合は、アクセス情報しかもたらされない。この方法で、ユーザ情報の違法な取得は、更に防止される。
【０００４】
ＷＯ２００４／０７５１８８は、ユーザ情報を保持する情報記憶媒体を開示する。情報記憶媒体は、ユーザ情報にアクセスするためのアクセス情報を有する。アクセス情報は、情報記憶媒体の所定の第１領域に記憶される。情報記憶媒体は、更に、第１領域とは異なる少なくとも１つの更なる領域を有し、この更なる領域はダミー情報を有する。本発明は、読出信号の雑音レベルが、アクセス情報が隠されている領域で幾らか増大するという見識に基づく。アクセス情報を有する領域とそうでない領域との間の雑音レベルのこのような差を回避するよう、かかるアクセス情報は、情報記憶媒体の特定の領域に割当てられるが、ダミー情報も他の領域に書き込まれる。これにより、ユーザ情報の違法な読出に対する、あるいは情報記憶媒体に存在すべき改善された複製防止システムが実現される。
【０００５】
前出の全ての文献の技術内容は、参照することによって本明細書で援用される。
【０００６】
新しいフォーマットは、目下検討中であり、ＢＤ９と呼ばれる。このＢＤ９フォーマットは、ＢＤのアプリケーション層を有するが、二層式ＤＶＤディスク（ＤＶＤ９）の物理層を使用する。このように、ＢＤ９フォーマットは複合型のフォーマットである。
【０００７】
ＢＤ９ディスクの物理的態様は、実質的にＤＶＤ９と同様であり、最大で７，９５ＧＢのデータを有しうる２つの層を有する。ＤＶＤディスクは、厚さが０．６ｍｍのカバー層と、７６０ｎｍのトラックピッチと、１４６．ｎｍのチャネルビットとを有する。それは、０．６０又は０．６５の開口数ＮＡ（Numerical  Aperture）を有する読出用の波長６５０ｎｍを有するレーザを使用する。
【０００８】
アプリケーション層は、ユーザと情報のやり取りを行う層である。アプリケーション層は、例えば、ＤＶＤディスクでのメニュー構成のような、ユーザがディスクを扱うために使用することができる双方向性、又は、小さなアプリケーションを起動し、サブタイトル及び音響を選択し、ゲームに興じるといったことができる機能の全てを含む。
【０００９】
ＢＤ９ディスクはＲＯＭディスクである。即ち、ＢＤ９ディスクは記録ができない。ＢＤ９ディスクは、データを符号化するためにピット及び空間を使用する。
【００１０】
互換性を有し、且つ、ＤＶＤドライブによって読出可能なＢＤ９を実現するために、以下の考えが適用され得る。ＤＶＤ９ディスクのレイアウトは、以下の制約の下で再定義される。
【００１１】
１．現在のＤＶＤ−ＲＯＭドライブは、ＢＤ９ディスクを読み取る場合に、機能が停止すべきでない。しかし、現在のＤＶＤ−ＲＯＭドライブは、ＢＤ９データにアクセスすることができない。
【００１２】
２．現在のＢＤ−ＲＯＭドライブは、ファームウェアのアップグレードのみによって、ＢＤ９ディスクを読み取ることができるように改造され得る。即ち、ハードウェア変更は必要とされるべきでない。
【００１３】
基本的な考えは、ごく小さいメインデータ領域を有するが、ディスクが通常のＤＶＤ９ディスクであると標準的なＤＶＤ−ＲＯＭドライブに信じさせることである。メインデータ領域は、当該ディスクが特別のＢＤ９ディスクであるとユーザに通知することができる単一のファイル又はファイルのグループを有するＩＳＯ９６６０ファイルシステムを少なくとも含むことができるほど十分に大きくあるべきである。５ＭＢのメインデータ領域は、この目的のために十分な大きさよりも大きい。２つの層が存在するので、各層のメインデータ領域はたった２．５ＭＢであり、中間領域は、層０でちょうど２．５ＭＢの後に開始する。ＢＤ９アプローチの更なる論議は以下で与えられる。
【００１４】
ほとんどのＢＤドライブは、ＣＤ、ＤＶＤ及びＢＤのフォーマットの１又は幾つかを読み出すことができる。上述されるように、このようなＢＤドライブは、ＢＤ９ディスクを読み出すことができるようファームウェアの変更のみを要するべきである。しかし、上述されるように、ファームウェアの変更を伴わないＤＶＤドライブは、機能が停止すべきでなく、当該ディスクが、例えば、区間（zone）のような小さなＤＶＤに配置される上記のファイル又はファイルのグループを読み出すことによって、互換性がないディスクであると認識することができるべきである。これにより、ディスクが、次世代のドライブ（ＢＤドライブ）によってのみ読み出すことができるＢＤ９ディスクであるとユーザに通知することが可能となる。
【００１５】
ＢＤ９ディスクは、ＢＤドライブによっては、通常は読み出され得ない。ＢＤドライブは、ＢＤディスクしか読み出すことができない。これは、ＢＤ９の物理的フォーマットがＤＶＤディスクの物理的フォーマットであることによる。しかし、ほとんどのＢＤドライブは、ＤＶＤ（及びＣＤ）ディスクをも読み出すことができると信じられている。ＢＤ９ディスクは、ＤＶＤディスクを読み出すことができずＣＤディスクしか読み出すことができないＣＤドライブによっては読み出され得ない。
【００１６】
ＢＤ−ＲＯＭフォーマットは、幾つかある特徴の中で特に複製防止システムを有し、ＢＤ９フォーマットでも複製防止システムを有しうることが望ましい。
【特許文献１】米国公開特許出願番号２００４／０２６４６９４Ａ１
【特許文献２】ＷＯ２００４／０７５１８７
【特許文献３】ＷＯ２００４／０７５１８８
【発明の開示】
【発明が解決しようとする課題】
【００１７】
本発明は、新しいＢＤ９フォーマットを扱えるよう適合されたドライブ及びドライブの駆動方法を提供することを目的とする。
【００１８】
本発明は、目下使用中の又は開発中のＢＤドライブで処理され得る光データ記憶媒体用の複製防止システムと、変更される必要がないハードウェアとを提供することを他の目的とする。
【課題を解決するための手段】
【００１９】
本発明に従って、ＢＤ９ディスクからのＣＰＳキー信号は、ＣＰＳキーの検出が既存のプラットフォームによって行われ得るように、かかる信号がＢＤ信号に類似するように配置される。その場合、ＢＤドライブのファームウェアの変更しか、ＢＤ９のＣＰＳシステムを実施するために必要とされない。
【００２０】
本発明の態様に従って、二層式ＤＶＤフォーマットの物理層と、ブルーレイＢＤフォーマットのアプリケーション層とを有するＢＤ９フォーマットのデータ記憶媒体を読み取るドライブを初期化する方法であって、ＣＤ、ＤＶＤ、ＢＤのような光学式データ記憶媒体のフォーマットを決定し、ＣＤ若しくはＤＶＤ用の赤色レーザ又はＢＤ用の青色レーザのような対応する読取用光ピックアップユニットを選択するよう前記ドライブに光学式データ記憶媒体を挿入するステップと、前記データ記憶媒体の起動区間に含まれるディスク情報を読み取り、対応する情報をメモリに記憶するステップと、前記データ記憶媒体がＤＶＤフォーマットである場合に、前記データ記憶媒体がＢＤ９フォーマットによるかどうかを決定するステップと、前記データ記憶媒体がＢＤ９フォーマットによると決定される場合に、ＢＤ−ＲＯＭマークを読み取るよう構成されるハードウェア及びソフトウェアを用い、且つ、ＤＶＤフォーマットを読み取るよう構成される光ピックアップユニットを用いて、前記ＢＤ−ＲＯＭマークを含むリザーブ領域を読み取るステップと、復号キーを決定し、該キーをメモリに記憶するステップとを有する方法が提供される。
【００２１】
当該方法の実施例で、前記データ記憶媒体がＢＤ９フォーマットによるかどうかを決定する前記ステップは、例えば、ＣＤ／ＤＶＤ／ＢＤのようなディスクの種類や、Ｒ、ＲＡＭ、ＲＷのようなメディアの種類や、書込方式のような情報であって、前記メモリに記憶される情報を有する起動区間を読み取ることによって実行される。当該方法は、前記光学式データ記憶媒体のデータを読み取るステップと、前記復号キーによって前記データを解読するステップと、解読されたデータ信号を発するステップとを更に有する。
【００２２】
他の態様において、二層式ＤＶＤフォーマットの物理層と、ブルーレイＢＤフォーマットのアプリケーション層とを有するＢＤ９フォーマットのデータ記憶媒体を読み取る当該ドライブを初期化するドライブであって、当該ドライブにおいて光学式データ記憶媒体を受ける受入装置と、ＣＤ、ＤＶＤ、ＢＤのような光学式データ記憶媒体の起動区間に含まれるディスク情報を読み取り、対応する情報をメモリに記憶するために、前記データ記憶媒体のフォーマットを決定し、ＣＤ若しくはＤＶＤ用の赤色レーザ又はＢＤ用の青色レーザのような対応する読取用光ピックアップユニットを選択する選択回路と、前記データ記憶媒体がＢＤ９フォーマットによるかどうかを決定し、ＢＤ−ＲＯＭマークを含むリザーブ領域を読み取り、更に、前記ＢＤ−ＲＯＭマークを読み取るよう構成されるハードウェア及びソフトウェアを選択し、ＤＶＤフォーマットを読み取るよう構成される光ピックアップユニットを使用する選択回路とを有し、これによって、前記ハードウェア及びソフトウェアは、復号キーを決定し、該キーをメモリに記憶するよう構成されるドライブが提供される。
【００２３】
実施例で、ＤＶＤフォーマットを読み取るよう構成される前記光ピックアップユニットは、更に、ＣＤ／ＤＶＤ／ＢＤのようなディスクの種類や、Ｒ、ＲＡＭ、ＲＷのようなメディアの種類や、書込方式のような情報であって、前記メモリに記憶される情報を有する起動区間を読み取るよう構成される。ＤＶＤフォーマットを読み取るよう構成される前記光ピックアップユニットは、更に、前記光学式データ記憶媒体のデータを読み取るよう構成される。当該ドライブは、前記復号キーによって前記データを解読し、解読されたデータ信号を発する回路を更に有することができる。
【００２４】
本発明の更なる態様に従って、二層式ＤＶＤシステム（ＤＶＤ９）の物理層と、ブルーレイシステム（ＢＤ）のアプリケーション層とを有する光学式データ記憶媒体（ＢＤ９）であって、変調コード及び前記アプリケーション層のファイル構造を含む当該記憶媒体のリザーブ領域であって、ＢＤ−ＲＯＭマークが複製防止システムに使用されるよう配置されるところのリザーブ領域を有する記憶媒体が提供される。
【００２５】
実施例で、前記リザーブ領域は、約２１．０ｍｍから２４．０ｍｍの半径で配置される当該記憶媒体の内部半径にある区間に配置され得る。かかる配置の利点は、ドライブが比較的高速にＢＤ−ＲＯＭマークを読み出すことができることである。
【００２６】
前記リザーブ領域は、第２層（Ｌ１）において約２２．２ｍｍ又は２２．５ｍｍから約２４．０ｍｍの半径で配置される当該記憶媒体の内部半径にある区間に配置され得、第１層（Ｌ０）における約２２．２ｍｍから約２４．０ｍｍの半径を有する対応する区間は、通常はバースト・カッティング・エリア（ＢＣＡ）を有するが、該バースト・カッティング・エリア（ＢＣＡ）を有さない。これによって、代替的に、前記バースト・カッティング・エリア（ＢＣＡ）は、約２１．３ｍｍから２２．２ｍｍの半径で前記第１層に配置され得る。かかる配置の利点は、ＢＤ−ＲＯＭマークが比較的高速に検出され得、同時に、従前知られるＤＶＤドライブの機能停止の危険性が最小限にされることである。
【００２７】
代替的に、前記リザーブ領域は、約２４．０ｍｍから５８．０ｍｍの半径で配置される中間区間に配置され得る。更に代替的に、前記リザーブ領域は、約５８．０ｍｍから５８．５ｍｍの半径で配置される当該記憶媒体の外部半径にある区間に配置される。これらのアプローチの利点は、前記リザーブ領域が、起動プロシージャの間の時間を犠牲にするが、必要な限り大きくされ得ることである。
【００２８】
他の実施例で、ウォブルドピット構造は、前記リザーブ領域に書き込まれ、前記ＢＤ−ＲＯＭマークを有する。変調コードは、１７ｐｐ変調コードでありうる。メインデータ領域は、ＩＳＯ９６６０ファイルシステムのような従来のＤＶＤフォーマットに従って少なくとも１つのファイルを有しても良く、該ファイルは、当該記憶媒体が特別のＢＤ９ディスクであるというユーザへの情報を含む。当該記憶媒体は、ＩＳＯ９６６０ファイルシステムを含む小さな領域に関し従来のＤＶＤドライブによって読取可能であって、場合によりファームウェア適応を有するＢＤドライブによってデコード可能でありうる。前記ＢＤ−ＲＯＭマークは、前記リザーブ領域にウォブルドピット構造として配置され得る。
【発明を実施するための最良の形態】
【００２９】
本発明の更なる目的、特徴及び利点は、本発明の以下の詳細な記載から、その実施例を参照して且つ以下の図面を参照して明らかとなるであろう。
【００３０】
新たに定義されるＢＤ−ＲＯＭ物理フォーマットに従うディスクは、以下の領域を有する。
【００３１】
情報区間は、ディスクの中心から測定される特定の半径を有するリング状の領域に分けられる。
【００３２】
ディスクは、半径が１１．５ｍｍから１６．５ｍｍであるクランピング領域を有する。この領域で、ディスクは、７．５ｍｍの半径を有する中央の穴又は開口によって、ディスクを回転させるモータのドライブシャフトへの接続のためにディスク取付システム５３（図４参照。）によって物理的にクランプをされる。
【００３３】
クランピング領域の後には、１６．５ｍｍから２１．０ｍｍの半径を有する移行領域がある。
【００３４】
次いで、２１．０ｍｍから２２．０ｍｍの半径を有するＢＣＡ（バースト・カッティング・エリア）が続く。ＢＣＡは、円周方向に配置される反射率が低い縞の連続の形で、ある情報を有する。ＢＣＡ区間にある情報は、通常は、単一のレボリューションに含まれており、バーコードのように数回にわたって繰り返される。
【００３５】
その後、リードイン区間１１が２２．０ｍｍから２４．０ｍｍの半径で始まる。リードイン区間１１は、例えば、保護１、ＰＩＣ（Permanent  Information  and  Control  data）、保護２、ＩＮＦＯ２、リザーブ、ＩＮＦＯ１のような特定の情報を含みうる。
【００３６】
データ区間は、２４．０ｍｍから５８．０ｍｍの半径で配置される。
【００３７】
最後に、リードアウト区間が、５８．０ｍｍから５８．５ｍｍの半径で配置される。
【００３８】
ＤＶＤ−ＲＯＭディスクは、以下のデータを有する：
ＢＣＡ：２２．３ｍｍから２３．５ｍｍ、
リードイン区間：２３．８８ｍｍから２４．０ｍｍ、
データ区間：２４．０ｍｍから。
【００３９】
図１はＢＤ９の情報区間を示す。
【００４０】
リードイン区間１１の後に、２４．０ｍｍから５８ｍｍ（最大）の半径を有するメインデータ領域１２がある。
【００４１】
メインデータ領域１２の後に、５８ｍｍから５８．５ｍｍの半径を有する中間領域１３がある。これは、ＢＤ９データ領域である。中間領域１３は、以下に記載されるように、小さなファイルシステムの直後では、より容易に開始することができる。
【００４２】
ＢＤ９ディスクは二層式ディスクであり、同じ構造は、第２の記録層、即ち、中間領域１４、メインデータ領域１５及びリードアウト領域１６において他の順序で繰り返される。ＢＤ９ディスクは読出専用ディスク（ＲＯＭ）である。
【００４３】
図２で、ＢＤ−ＲＥディスクの従来の情報構造が示される。かかる構造は、第１の記録層Ｌ０においてはリードイン区間、データ区間０及び外側区間０を有し、第２の記録層Ｌ１において外側区間１、データ区間１及びリードアウト区間を有する。更に、基板及びカバー層の位置が、光ビームとともに図示される。
【００４４】
上述されるように、ＢＤディスク９のレイアウトは、以下の制限の下で再定義される。
【００４５】
１．現在のＤＶＤ−ＲＯＭドライブは、ＢＤ９ディスクを読み取る場合に、機能が停止すべきでない。しかし、現在のＤＶＤ−ＲＯＭドライブは、ＢＤ９データにアクセスすることができない。
【００４６】
２．現在のＢＤ−ＲＯＭドライブは、ファームウェアのアップグレードのみによって、ＢＤ９ディスクを読み取ることができるように改造され得る。即ち、ハードウェア変更は必要とされるべきでない。
【００４７】
基本的な考えは、ごく小さいメインデータ領域を有するが、ディスクが通常のＤＶＤ９ディスクであると、標準的なＤＶＤ−ＲＯＭドライブに信じさせることである。メインデータ領域１２及び１５は、当該ディスクが特別のＢＤ９ディスクであるとユーザに通知することができる単一のファイル又はファイルのグループを有するＩＳＯ９６６０ファイルシステム（一般的な標準規格に従うＤＶＤで使用されるファイルシステム）を少なくとも含むことができるほど十分に大きくあるべきである。５ＭＢのメインデータ領域は、この目的のために十分な大きさよりも大きい。２つの層が存在するので、各層のメインデータ領域はたった２．５ＭＢである。これは、中間領域１３、１４が各層においてちょうど２．５ＭＢの後に開始することを意味する。
【００４８】
他の例で、以下のアプローチは、ＢＤ９ディスクにおいて小さなＤＶＤセッションを作る代わりに使用され、極めて大きい中間区間にＢＤ９の内容を置く。例えばＤＶＤ＋ＲＷのような幾つかのドライブでは、汎用用途領域（ＧＡＡ；General  Application  Area）と呼ばれる概念が導入される。このＧＡＡは、例えばＢＤ９ディスクのように、既存のＤＶＤドライブで問題を生じさせうる状況を防ぐために使用され得る。ＧＡＡ領域は、「これは、ＢＤプレーヤでしか読み取ることができないＢＤ９ディスクである。」といったメッセージを含みうる小さなファイルシステムを定義する。あらゆる既存のＤＶＤドライブは、この小さなディスク領域を除いて見ることができず、制限された内容を再生する。しかし、ＢＤ９プレーヤは、これを認識して、ＢＤ９情報を含む第２のファイルシステムが存在することを知る。この実施例では、中間区間はＢＤ９に必要とされず、全てのデータはメインデータ領域に配置される。現在のＤＶＤレイアウトは同じ状態のままで有り、ほとんど全ての既存のドライブはＧＡＡの概念を知っている。
【００４９】
以下のガイドラインが続く。
【００５０】
１．セクタヘッダは標準であるべきである。
【００５１】
ａ．物理アドレスは標準であるべきである。
【００５２】
ｂ．セクタ情報バイト（Sector  Information  Byte）は、ディスク領域、即ち、リードイン、リードアウト、メインデータ及び中間領域にマークを付すべきである。中間領域アプローチを使用する場合、ＢＤ９コンテンツを含む全てのセクタは“中間領域”とマークを付され、約２４．０ｍｍから約５８．０ｍｍの半径の間に含まれる。
【００５３】
ｃ．ＣＰＲＭＡＩバイトは、ディスク全体にわたって全てゼロであるか、あるいは、メインデータ領域において映像のＣＳＳ暗号化のために使用されるべきである。ＣＰＲＭＡＩバイトは、ＤＶＤディスクの著作権管理情報（CoPyRight  Management  Information）に関する。それらは、異なる著作権システムがＢＤ７で使用されるので、ゼロであるべきである。ＣＳＳはコンテンツ・スクランブリング・システム（Content  Scrambling  System）を意味し、ＤＶＤの複製防止システムの一般名称である。
【００５４】
２．制御データ区間は、ＤＶＤフォーマットの標準的な内容を有するべきである。
【００５５】
ａ．ブックタイプ／バージョンは０ｘ０１であるべきである。これは、ドライブがディスクから起動時に読み取る情報を含む制御データ区間に示され、例えば、どの標準規格に従ってディスクが作られているかどうかといったディスクの基本情報を含む。
【００５６】
ｂ．全ての他のバイトは、また、あたかもＤＶＤ９ディスクであるように正常である。
【００５７】
ｃ．制御データ区間に、より具体的には、制御データ区間の物理フォーマット情報部（Physical  Format  Information  part）に配置されるバイト１０２４・・・２０４８は、現在のところはＤＶＤに確保されているが、中間領域でレイアウトを使用する場合にＢＤ９部分がどこにあるかを定義するために使用され得る。このように、制御区間におけるかかる領域は、ＢＤ９データ領域の境界と、層０から層１に位置する論理アドレスへの物理アドレスとをＢＤ９ドライブに通知することのみを必要とする。
【００５８】
新しいフォーマットＢＤ９に関する更なる情報は以下の通りである。
【００５９】
提案される読出速度は、ＤＶＤに使用される既存のＥＣＭＡ標準の３倍であり、赤色レーザディスクドライブにおける３３Ｍｂｐｓに等しい。
【００６０】
例えば偏心及び不均衡といった特定のパラメータに関して、より厳しい許容範囲が存在する。
【００６１】
ファイルシステムは、ＢＤ２５／５０（ＵＤＦ２．６）と同じである。
【００６２】
アプリケーション：ＢＤ２５／５０（ＢＤ／ＭＶ及びＢＤ−Ｊ）と同じ。
【００６３】
内容保護：ＢＤ−ＲＯＭ２５／５０と同じ。必要に応じて、異なる物理的なディスクに関して最小限の変更のみ。ロバスト性はＢＤ−ＲＯＭ２５／５０と少なくも同じ。
【００６４】
ＢＤ−ＲＯＭディスクに関し、複製防止システムＣＰＳは、ＢＤ−ＲＯＭマークを有して開発されてきた。ＢＤ−ＲＯＭマークは統合検出技術により検出可能なウォブルキーである（例えば、ＷＯ２００４／０７５１８７参照。）。
【００６５】
ＢＤ−ＲＯＭマークは、他の複製防止手段とともに、ＢＤ−ＲＯＭディスクのデータ区間に存在するデータを解読するために使用される暗号化キーを含む。ＢＤ−ＲＯＭマークは、ドライブの初期化相の間に、即ち、実際のデータが読み出される前に、読み出される。概して、ＢＤ−ＲＯＭマークは、情報記憶媒体のＰＩＣ区間に記憶されるアクセス情報でありうる。情報記憶媒体は、所謂ＰＩＣ（Permanent  Information  ＆  Control  data）区間を有する。このＰＩＣ区間で、情報記憶媒体に関する一般的な情報及び様々な他の情報が記憶される。このように、十分な容量及びデータレートを有して予め記録された情報のデータチャネルは生成され得る。ＰＩＣ情報は、予め記録されたピット／空間に記憶されるが、この情報は、また、予め記録された高周波変調（ＨＦＭ）グルーブに記憶され得る。ＨＦＭグルーブは、むしろ高い帯域幅の信号を有して放射方向で変調される。情報がウォブルチャネルに記憶されるという事実により、埋め込みチャネルが生成される。アクセス情報を読み出すことができるために、ＰＩＣ区間におけるアクセス情報の位置の参照は、ある方法によって取り出され得る。ＰＩＣ区間は、アドレスユニット数（ＡＵＮ）を有してメインデータチャネルを有する。かかるＡＵＮは、ＰＩＣ区間におけるアクセス情報の開始位置を示すために使用される。これは、ウォブルチャネル信号がデータ信号（ＨＦチャネル）にロックされる場合に可能である。アドレスは（ＥＣＣバイトを伴わずに）４バイト（ニブル）である。ＰＩＣ区間が情報記憶媒体の小さな部分にしか置かれない場合に、有限な数の３２ビットの最下位ビット（ＬＳＢ）のみがＰＩＣ区間内で変化する（概して、第１のＬＳＢのみ。）。これらの１６ビットは、ＰＩＣ区間内で位置を決定するには十分である。ＰＩＣ区間はおよそ２０００トラックに広がる。アクセス情報が２０の連続したトラックにのみ存在するとしたならば、このアクセス情報の開始位置はユーザ情報からＡＵＮによって決定される。次いで、このＡＵＮの最初の１６のＬＳＢは、例えば、解読された変調を用いて、全てのＰＩＣ区間にわたって位置付けられる。それにより、ＰＩＣ区間のランダムな位置に到達する場合に、ＡＵＮの最初の１６ビットを読み出すこと、アクセス情報の開始位置へジャンプすること、及びアクセス情報を読み出すことが可能となる。このように、アクセス情報の正確な場所は、かかる帯域においてある位置にしか置かれず、全ての帯域にわたって置かれないように、更にＰＩＣ区間に隠されている。
【００６６】
アクセス情報は、ウォブルドピット構造を用いてディスクのＰＩＣ区間に書き込まれる。ピット構造に含まれるメインデータは、通常のＰＩＣ情報（ドライバ取消（revocation）情報、ディスク情報）を含む。アクセス情報は、ディスクのユーザ情報を解読するために必要とされるキーの一部でありうる。ウォブルの振幅は、ピーク・ツー・ピークが約５〜１０ｎｍと小さい。このように、ウォブル信号は雑音が多く、直接に複製をすることが不可能である。
【００６７】
ブルーレイシステムのアプリケーション層を有する変形型ＤＶＤディスクであるＢＤ９ディスクに関し、ＢＤ−ＲＯＭディスクで既に提案されているような複製防止のための同様のシステムを使用することが望ましい。このように、ＢＤ−ＲＯＭの複製防止システムに使用される同じハードウェア及びソフトウェアが使用され得る。ＢＤドライブは、ＢＤ−ＲＯＭシステムに関し既に開発されているソフトウェアを有することによって、複製防止システムを有するよう変形され得る。
【００６８】
この目的は、ＢＤ９システムへＢＤ−ＲＯＭシステムで使用されるＢＤ−ＲＯＭマークを転換することによって、本発明に従って達成される。ＢＤ９ディスクは、更に、新しいＢＤドライブがこのファイルを読み出すことができるように調整される。新しいＢＤドライブは、通常は、以前のＤＶＤシステムと互換性を有し、故に、それらは、物理的にＤＶＤディスクであるＢＤ９ディスクを読み取ることができる。
【００６９】
これを実現するために、特別の領域が、ＤＶＤシステムによって使用されるＥＦＭＰｌｕｓＲＬＬ（ランレングス限定（Run  Length  Limited））変調コード及びフレーム構造の代わりに、ＢＤシステムによって使用される変調コード（１７ｐｐ変調コード）及びＢＤシステムの完全なＲＵＢ（読取ユニットブロック（Recording  Unit  Block））構造とを含むＢＤ９ディスクで確保される。ＢＤシステムによって使用される変調コードは、２Ｔから８Ｔの範囲にあるランレングスを有する１７ＰＰ変調コード（１，７ＲＬＬコード）であり、一方、以前のＤＶＤシステムによって使用される変調コードは、３Ｔから１１Ｔの範囲にあるランレングスを有する２，１０コードである。変調コードの説明のために、例えば、ＥＣＭＡ標準規格ｎｒ２６７を参照されたし。これは、１２０ｍｍのＤＶＤ読出専用ディスクを規定し、公にＥＣＭＡウェブサイトからダウンロード可能である。
【００７０】
特別の領域は、ディスクのリードイン領域、リードアウト領域又は中間領域に配置され得る。特別の領域で、データは１７ｐｐ変調コードを有してＢＤ−ＲＯＭフォーマットで書き込まれる。この領域で、ウォブルドピット構造は、物理的なＢＤ−ＲＯＭマークを含むよう書き込まれる。これは、ＢＤの複製防止システムに関して開発されたＢＤ−ＲＯＭマークを検出するための既存のハードウェアが、同様にＢＤ９に関して使用され得ることを意味する。このハードウェアは、全ての新しいＢＤドライブに含まれる。更に、同じソフトウェアが使用され得る。
【００７１】
ＢＤ−ＲＯＭと同様に、ＢＤ９マークは、他の複製防止手段とともに、ＢＤ９ディスクのデータ区間に存在するデータを解読するために使用される暗号化キーを含みうる。
【００７２】
ウォブル振幅は、同じ検出時間がＢＤ−ＲＯＭマークの場合に達成されるように変更されるべきである。読出時間は、３倍のＤＶＤ速度がＢＤ９の基準速度として使用される場合にはそれほど変化しないので、ウォブル振幅の適切なスケーリングにより、同じキー検出時間が得られる。
【００７３】
ＢＤマークが書き込まれるところのＢＤのＰＩＣ領域で使用される３５０ｎｍからＤＶＤシステムの７４０ｎｍまでトラックピッチを増大させることが必要とされうる。トラックピッチ及びチャネルビット長は、これによりドライブがＢＤ９に関しＢＤ−ＲＯＭマークを検出することが容易になる場合は、いくらか変更され得る。
【００７４】
ＢＤ−ＲＯＭマークのトラックピッチは３５０ｎｍであり、一方、データ区間のトラックピッチは３２０ｎｍである。このトラックピッチがλ／ＮＡでスケーリングをされる場合、以下の表が得られる。
【表１】
2009508280.tif 000003
【００７５】
ＤＶＤのトラックピッチは７４０ｎｍである。これは、表中の３２０ｎｍから、スケーリングをなされた値よりも大きい。最悪の場合で、ＢＤ９−ＲＯＭマークのトラックピッチは、７９６ｎｍ、例えば８００ｎｍである必要がある。
【００７６】
ＢＤ９−ＲＯＭマークの場所は、以下の位置にありうる。
【００７７】
１）ＢＤ９−ＲＯＭマークは、リードイン区間１１（図１参照。）に配置される。ＤＶＤシステムには２つのＩＮＦＯ（又はバッファ）区間がある。これらは、夫々、トラックに沿って２７２４ｎｍ及び２９０５ｎｍの長さがある。ＩＮＦＯ１区間は、ＢＤ９へとスケーリングをなされた１６のＲＵＢを有し、ＩＮＦＯ２は、１７のＲＵＢ（トラックピッチ７４０ｎｍ）を有しうる。利用可能なＲＵＢは、この解決法においては比較的低い。
【００７８】
２）ＢＤ９−ＲＯＭマークは、中間区間１３、１４に配置される。中間区間にあるセクタの数は、ＤＶＤの場合では規定されていないので、ＢＤ９−ＲＯＭマークの検出のために必要とされる全ての空間を使用することができる。ＲＵＢが１７５ｍｍの長さを有する場合、１０００のＲＵＢに関して１７５ｍが必要である。かかるＲＵＢは、半径が５８．４１ｍｍから５８．５ｍｍの間にあるディスクの外周に配置され得る。
【００７９】
３）ＢＤ９−ＲＯＭマークは、（ＯＴＰの場合に）ディスクの内側半径にあるリードアウト区間１６に配置される。次いで、１０００のＲＵＢは、８００ｎｍのトラックピッチを仮定すると、半径が２２．６ｍｍから２３．５６ｍｍの間に入る。
【００８０】
ＢＤ９ディスクのおける１７ｐｐ領域の位置は、既存のＤＶＤ起動構造を有しても起動時の問題を引き起こさないよう選択されるべきである。これは、ＢＤ９ディスクの中間区間に関しては確かにそうである。
【００８１】
他の考慮すべき事項により、リードイン又はリードアウト区間は、例えばレンズに最も近い層ゼロにおいて使用され得ることとなる。
【００８２】
メインデータ領域１２、１５の内容は如何なるデータであっても良く、これは、この領域が更なる複製防止手段を含むために使用され得ることを意味する。
【００８３】
ＢＤ−ＲＯＭのパラメータは、ＢＤ９フォーマットに関して変更されるべきである。
【００８４】
ＤＶＤのパラメータは以下の通りである：
波長      ６５０ｎｍ、
ＮＡ＿１  ０．６、
ＮＡ＿２  ０．６５、
ｃｂｌ（ＤＬ  ＤＶＤ）  １４６．７ｎｍ、
ｔｐ（トラックピッチ）  ７４０ｎｍ、
読出速度  ３．８４ｍ／ｓ。
【００８５】
ＢＤ−ＲＯＭのパラメータは以下の通りである：
波長      ４０５ｎｍ、
ＮＡ＿１  ０．８５、
ｃｂｌ（＠２３．３ＢＧ）  ８０ｎｍ、
ｃｂｌ（＠２５ＢＧ）      ７４．５ｎｍ、
ｔｐ（ＰＩＣ）            ３５０ｎｍ、
ｔｐ（外側ＰＩＣ）        ３２０ｎｍ、
読出速度（＠２３．３ＢＧ）  ５．２８ｍ／ｓ、
読出速度（＠２５ＢＧ）      ４．９１７ｍ／ｓ。
【００８６】
このパラメータにより、線形スケーリング係数が得られる：
スケーリング係数＿１（ＢＤ９＿１）２．２７３６６２５５１、
スケーリング係数＿２（ＢＤ９＿２）２．０９８７６５４３２。
【００８７】
ＢＤ９へとスケーリングをなされた１７ｐｐＲＵＢ長の長さは、以下の通りである：
【表２】
2009508280.tif 000004
【００８８】
３倍のＤＶＤ読出速度におけるＢＤ９−ＲＯＭマークの周波数信号は、以下の通りである（ＢＤの速度に対して計算される）。
【表３】
2009508280.tif 000005
【００８９】
異なるレイアウトが、リードイン区間では可能である。以下の半径位置が考えられる：
ＢＤ９−ＲＯＭマークに関し３５１のＲＵＢを生ずるレイアウト１：
【表４】
2009508280.tif 000006
【００９０】
ＢＤ９−ＲＯＭマークに関し１７３７のＲＵＢを生ずるレイアウト２：
【表５】
2009508280.tif 000007
【００９１】
ＢＤ９−ＲＯＭマークに関し９７８のＲＵＢを生ずるレイアウト３：
【表６】
2009508280.tif 000008
【００９２】
１７ｐｐ変調コードのチャネルビット長（ｃｂｌ）は、二層式ＤＶＤに関し１４６．７ｎｍであるＤＶＤのチャネルビット長に近い長さに適合されるべきである。ＢＤ２５ＧＢのチャネルビット長は、１．９５６の増分をもたらす。また、トラックピッチは、ＤＶＤの３５０ｎｍから７４０ｎｍに増大する。これは、およそ因数２である。トラックピッチ及びｃｂｌは、ドライブがＢＤ９に関しＢＤ−ＲＯＭマークを検出することがより容易になる場合に、いくらか変更され得る。
【００９３】
更なる考慮すべき事項は、以下の通りである：
ＢＤ９ディスクの１７ｐｐ部にあるメインチャネルの内容は任意でありうる。メインチャネルは、ピット及びランドからの通常のデータ信号に含まれる情報である。
【００９４】
ＤＶＤでは、光トラッキングユニットの半径方向の位置を制御するラジアル・プッシュプルＰＰ信号に関する仕様が存在する。
【００９５】
このＰＰ信号は、ＢＤ−ＲＯＭマークの検出に必要とされる。従って、ＢＤ９ディスクは、十分に大きいＰＰ信号を有する必要がある。正規化されたＰＰ信号は、ＢＤ−ＲＯＭのＰＰ信号と同等とされ得る。このように、ＢＤ９−ＲＯＭマークは、小さな不可視性及び検出能と、ＢＤ−ＲＯＭで使用される同じウォブル振幅とを有するよう生成され得る。ＢＤ−ＲＯＭマークを検出する当該のＢＤ−ＲＯＭ信号は、ラジアルＰＰ信号及びＨＦ信号である。
【００９６】
ＢＤ９における１７ｐｐ領域の位置は、既存のＤＶＤ起動設定を有しても起動時の問題を生じさないように選択され得る。可能な位置は、ＢＤ９ディスクの中間区間１３、１４に１７ｐｐ領域を置くことである。
【００９７】
ＢＤ−ＲＯＭマークの配置の他の実施例は、図３に開示される。ＢＤ−ＲＯＭマークは、２３．４ｍｍから２２．２ｍｍの間の半径で、第２層Ｌ１にあるリードアウト区間の後に配置される。この実施例で、バースト・カッティング・エリアＢＣＡは、第１層Ｌ０にあるリードイン区間の前に配置される。これは、通常のＤＶＤのＢＣＡの場所が、ＢＤ−ＲＯＭマークが配置されるところの領域と重なっていることで、ＢＣＡが、Ｌ１でのＲＯＭマークの読出に干渉しうる危険性があるからである。しかし、ＢＣＡがＢＤ９ディスクで望まれる場合にＢＤのＢＣＡを使用することが可能である。このＢＤのＢＣＡは、２１．３ｍｍから２２．２ｍｍの領域を使用し、Ｌ１にあるＢＤ−ＲＯＭマークと干渉しない。２２．５ｍｍにある端部へＲＯＭマークを配置することによって幾らかのマージンを設けることが可能である。これは、十分な空間があることによる。従って、ＢＤ９ディスクの層Ｌ１における２２．２ｍｍ（２２．５ｍｍ）から２３．４ｍｍのＢＤ−ＲＯＭマーク領域は、同じハードウェアがその検出のために使用され得るように、ＢＤ−ＲＯＭで定義されるのと同じフォーマットに従ってＲＯＭマークを書き込むことができるよう１７ｐｐデータを含む。
【００９８】
ＢＤ−ＲＯＭでは、ＢＤ−ＲＯＭマークの検出時間は、通常はおよそ３０ｍｓである。ＢＤ９では、基準速度は、ＢＤ２５ＧＢに関する４．９１７ｍ／ｓよりも１．２８倍小さい３．８４ｍ／ｓであって、二層式ＤＶＤと同じであり、また、ＢＤ−ＲＯＭからＢＤ９へとスケーリングをなされたＲＵＢは計数１．９５６だけ大きいので、通常の検出時間は、幾らか大きく、通常は許容範囲にある７５ｍｓである。
【００９９】
ＢＤ９の実施に関する目下の説明において行われることは、ＢＤ９ディスクがＤＶＤの物理層を有し、１７ｐｐコードによってＣＰＳ情報がそこに書き込まれることが可能になるところの小さな領域しか有さないことである。他の可能性は、ＤＶＤ物理層を有さないが、（データがＤＶＤオプティクスにより読み出され得るように）ＢＤのＤＶＤへとスケーリングをなされた物理層を有するＢＤ９を有することである。次いで、ディスク全体は１７ｐｐコードを含み、従って、ＢＤ９は、まさに、ＤＶＤへとスケーリングをなされた全フォーマットのＢＤ−ＲＯＭディスクである。しかし、これは、スケーリングをなされたＢＤフォーマットのＥＣＣブロックが、内側半径においてディスクの１よりも多いレボリューションにわたって広がるという欠点を有する。これは、半径方向のスクラッチが同じＥＣＣブロックにあるバイトを消すようであるから、システムのエラー訂正能力を下げる。
【０１００】
従来のＤＶＤドライブは、ＢＤ９−ＲＯＭマークを検出するために現在のＢＤ−ＲＯＭドライブからのハードウェアを含み、ファームウェア適応を含むことによって、ＢＤ９ディスクを読み出すよう構成され得る。
【０１０１】
ディスクは、中間領域ではＢＤ９のフォーマットでデータを有し、メインデータ領域ではＤＶＤフォーマットで例えば５ＭＢの小さなファイルしか有さない。しかし、例えばあるデータを含み、ＤＶＤドライブによって読み出され得るより大きなファイルを配置することが可能である。従って、メインデータ領域は、例えば７００ＭＢといった如何なるサイズを有することもでき、残りはＢＤ９データのために使用され得る。
【０１０２】
ドライブが起動すると、以下の動作が始められる。最初に起こることは、ドライブが、ＣＤ、ＤＶＤ又はＢＤのいずれか１つとしてディスクを認識しようとすることである。そのためのアルゴリズムが存在する。
【０１０３】
ディスクがＣＤ／ＤＶＤ又はＢＤであるとドライブが知ると直ぐに、それは、その特定のフォーマットを読み出すために必要とされる光ピックアップユニット（ＯＰＵ）にある光オプティクスへと切り替える。
【０１０４】
次いで、ドライブは、起動区間を読み出すようディスクのリードイン区間へ行く。起動区間は、ディスク情報と呼ばれるディスクに関するその他の情報を含む。これは、（それだけに限られないが、）ディスク（ＣＤ、ＤＶＤ又はＢＤ）、メディアの種類（Ｒ、ＲＯＭ又はＲＷ）、書込可能なフォーマットの場合の書込方式等の再認識である。
【０１０５】
既存のＤＶＤ専用ドライブが機能停止をしないために、そのドライブが認識することのできない１７ｐｐコードと起動処理の間に出会うことを回避する必要がある。故に、リードイン区間にＢＤ−ＲＯＭマークを置くことは、この点において問題を生じさせうる。
【０１０６】
代替的に、ＢＤ−ＲＯＭマークは、ディスクの中間区間又は外側半径に配置され得る。しかし、この配置の欠点は、それが起動のためにそれほど都合が良くないことである。ドライブは、最初に、ＢＤ９をＤＶＤディスクとして認識し、ＤＶＤオプティクスを有して起動し、ディスク情報を読み出し始める。このとき、ディスクは実際にはＢＤ９ディスクであることが知られる。オプティクスは正当な部品であるが、余分の起動プロシージャが必要とされる。即ち、ＢＤ−ＲＯＭを見つけることが必要とされる。これが中間区間又は外側区間に配置される場合は、ドライブは、ディスクの外側にあるそこに行く必要がある。一方、ＯＰＵは、目下、リードイン区間に配置されている。大きなジャンプは貴重な起動時間を消費する。これは、既存のＤＶＤ専用ドライブの起動処理を邪魔することなく可能な限りリードイン区間に近いＢＤ−ＲＯＭマークを有することが有利であることを意味する。このように、図３に示される実施例は有効な代替案である。それはＢＣＡ領域に配置されるが、その場合、対物レンズから最も遠く離れた層にある。それは、起動時にＤＶＤ専用ドライブの機能停止をほとんどの場合に回避するよう、リードインに近いが、そこから十分に離れている。
【０１０７】
通常起動プロシージャは、以下の通りである：
１）ＣＤ／ＤＶＤ／ＢＤを識別する、
２）正しいＯＰＵを選択し、正しいＣＤ／ＤＶＤ／ＢＤ回路を選択する、
３）ディスク情報の読み込みを開始する、
４）データの読出／書込を開始する。
【０１０８】
ＢＤ９を読取可能なＢＤドライブの場合には、このプロシージャは幾らか変わる。ファームウェアは、以下の事項が起こるように構成される：
１）ＣＤ／ＤＶＤ／ＢＤを識別する、
２）正しいＯＰＵを選択する、
３）ディスク情報の読み込みを開始する、
４）ＢＤ９ディスクがない場合は、ステップ１）の結果に依存して正しいＣＤ／ＤＶＤ／ＢＤ回路を選択する、
５）ＢＤ９ディスクが挿入されている場合は、ＲＯＭマークの場所へ行き、ＢＤ−ＲＯＭキーの検出のためのＢＤ回路を選択する、
６）キー検索の後、ＢＤ９のデータ領域へ行き、データのリードバックのためにＤＶＤ回路へ切り替える。
【０１０９】
図４は、ドライブが、ＢＤ９フォーマットの読取を可能にするためにファームウェア適応を与えられているところのブロック図を開示する。
【０１１０】
ドライブは、赤外線レーザ４０、赤色レーザ４１及び青色レーザ４２を有する光ピックアップユニットを有する。これらのレーザは、レーザ４０、４１、４２を、ＣＤ、ＤＶＤ及びＢＤの信号を扱う回路４５、４６、４７へ接続するために、第１のセレクタ４３及び第２のセレクタ４４へ接続されている。ドライブは、挿入されたディスクがＣＤ、ＤＶＤ又はＢＤであるかを決定し、セレクタ４３、４４を制御するアルゴリムを有する。
【０１１１】
ＢＤ回路４７は、ＢＤ−ＲＯＭマークの認識のために特別に構成されたハードウェア４８及びソフトウェア４９を有する。これらのハードウェア及びソフトウェアは、ＢＤ−ＲＯＭマークを検出するために使用される。ＢＤ−ＲＯＭマークから、復号キーは決定され、他のパラメータとともにメモリ５０に記憶される。
【０１１２】
本発明に従って、他のセレクタ５１が含まれる。このセレクタ５１は、ＤＶＤ回路４６に回路４７並びにハードウェア４８及びソフトウェア４９を挿入するよう配置される。従って、ＢＤ９ディスクがドライブに挿入されると、ディスクが、選択されている赤色レーザ４１によって読取可能なＤＶＤタイプのディスクであると決定される。ＤＶＤ回路４６は、セレクタ４４によって選択される。リードイン区間の読取において、ディスクがＢＤ９ディスクであると認識される。これにより、セレクタ５１は、ＣＰＳキーを検出するのに必要とされる時間は回路４７並びにハードウェア４８及びソフトウェア４９に切り替わるよう作動する。回路４７並びにハードウェア４８及びソフトウェア４９は、復号キーを認識及び決定する。次いで、復号キーは、他のパラメータとともにパラメータメモリ５２に記憶される。セレクタ４３、４４、５１は、ドライブを制御するプログラムにおいてソフトウェアとして具体化され得ることが知られる。図４は、特定の方法ステップを実行するボックス又は回路を示しているが、方法ステップのほとんどは、当該分野で通例であるように、ソフトウェアによって実施され得ることが知られている。
【０１１３】
図４で、同じ回路４７、ハードウェア４８及びソフトウェア４９が、従来のＢＤ検出の場合と同じようにＢＤ９検出のために使用されることが示されている。しかし、ソフトウェア４９は、２つの目的のために使用される代わりに複製されても良い。しかし、本発明に従って、少なくともハードウェア４８は、２つの目的のために使用される。従って、ハードウェアの追加が必要とされる。しかし、ＢＤ９の互換性を有する新しいドライブにおいて、ハードウェアは、望まれるならば複製され得る。
【０１１４】
ＲＯＭマークが検出された後、スイッチ５１は、ＥＦＭｐｌｕｓコードでのデータのリードバックのために、ＤＶＤ回路４６へ再び切り替えられる。
【０１１５】
当然、本明細書及び特許請求の範囲で使用される場合に、用語“有する（comprises／comprising）”は他の要素又はステップの存在を除外しない。更に、個々に挙げられているが、複数の手段、要素又は方法ステップは、例えば、単一のユニット又は処理装置によって実施され得る。更に、個々の特徴は異なる請求項に含まれることがあるが、これらは場合により有利に結合され得、異なる請求項における包含は、特徴の組み合わせが実現可能及び／又は有利でないと暗に示しているわけではない。加えて、単数参照は、複数個を除外しない。特許請求の範囲中の参照符号は、単に明示の例として与えられており、多少なりとも特許請求の範囲の適用範囲を限定するよう解釈されるべきでない。
【０１１６】
本発明は、本発明の具体的な態様及び実施形態を参照して上で記載されてきたが、ここに挙げられている具体的な形態に限定されるよう意図されない。むしろ、本発明は、添付の特許請求の範囲によってのみ限定され、上記以外の他の実施例が、かかる添付の特許請求の範囲の適用範囲内で等しく可能である。本発明は、添付の特許請求の範囲によってのみ限定される。
【図面の簡単な説明】
【０１１７】
【図１】ＢＤ９ディスクのレイアウトに関する第１の実施例の概要図である。
【図２】二層式ディスクの情報領域の概要図である。
【図３】ＢＤ９ディスクのレイアウトに関する第２の実施例の概要図である。
【図４】本発明に従うファームウェア適応を有するドライブのブロック図である。
【図１】
2009508280.tif 000009
【図２】
2009508280.tif 000010
【図３】
2009508280.tif 000011
【図４】
2009508280.tif 000012
【国際調査報告】
2009508280.tif 000013
2009508280.tif 000014
2009508280.tif 000015
2009508280.tif 000016
2009508280.tif 000017